(57)【特許請求の範囲】
【請求項１】
玩具銃の発射機構において、シリンダーと、シリンダーの内部に摺動自在なピストンと、ピストンを銃口側に付勢するピストンスプリングと、ピストンの反銃口側への移動により接触して第１シアーを回動させ第２シアーに係止させる第１突起及びピストンの銃口側への移動を停止させる第２突起及び第２シアーと係止及び係止解除可能な第３突起を有して回動付勢される第１シアーと、第１シアーと係止して第１シアーの回動を停止させディスコネクトの押圧により第１シアーとの係止解除可能な第２シアーと、トリガーと、先端部を上方へ付勢されつつトリガーに回動可能に取り付けられ第２シアーを押圧可能でかつ第１シアーの回動により第２シアーへ押圧を解除されるディスコネクトとを有することを特徴とする玩具銃の発射機構。
【請求項２】
機関部本体内に設ける玩具銃の発射機構において、シリンダーと、シリンダーの内部に摺動自在なピストンと、ピストンを銃口側に付勢するピストンスプリングと、ピストンの反銃口側への移動により接触する第１突起及びピストンの銃口側への移動を停止させる第２突起及び第２シアーと係止及び係止解除可能な第３突起を有して回動付勢される第１シアーと、第１シアーの第３突起と係止して第１シアーの回動を停止させディスコネクトの押圧により第１シアーとの係止解除可能な第２シアーと、トリガーと、先端部を上方へ付勢されつつトリガーに回動可能に取り付けられトリガーを引いた状態で第２シアーを押圧可能でかつ第１シアーの回動により第２シアーへの押圧を解除されるディスコネクトとを有するとともに、
トリガーを引いた状態でピストンの反銃口側への移動により第１シアーを回動させ第２シアーに係止させることによりピストンの銃口側への移動を停止させ、トリガーを引いた状態から元の状態に戻しディスコネクトの位置を第２シアーの押圧可能位置に戻すことにより次弾発射準備完了状態とすることを特徴とする玩具銃の発射機構。
【発明の詳細な説明】
【０００１】
【発明の属する技術分野】
この発明は、玩具銃の発射機構、詳細には玩具銃のシアーに関する。
【０００２】
【従来の技術】
従来の玩具銃の発射機構としては、本願出願人の実用新案登録第２５９７０９７号（従来技術１）「遊戯銃用の機関部の構造」が公知である。従来技術１には「機関部と、機関部を貫通して往復移動可能かつ機関部側の下部に長手方向に沿って設けられる長穴を設けられる中空のシリンダーと、シリンダー内に摺動自在に収納されるとともに反銃口側端部にピストン突起が設けられるピストンと、ピストンを銃口側に付勢させるピストンスプリングと、ピストンスプリングの反銃口側への移動を規制するピストンスプリングガイド押さえと、長穴からシリンダー内に突設する第１突起と第１突起より銃口側に突設して設けられる第２突起がそれぞれ設けられ回転可能に機関部内に取り付けられるとともに常に第１突起が反銃口方向に回転するように付勢されるシアーと、回転可能に機関部に取り付けられるとともに、シリンダー側に設けられたトリガーシアー突起部でシアーに接触するように常に付勢されるトリガーシアーと、トリガーシアー突起部をシアーとの接触を解除するように作動させるトリガーとからなることを特徴とする遊戯銃用の機関部の構造。」の開示がある。
【０００３】
【この発明が解決しようとする課題】
しかしながら従来技術１において、遊戯銃のシアーは、トリガーを引いて弾丸を一度発射させた後、次の弾丸を発射させる準備を行う際、トリガーを引いたままでは次の発射準備ができなかった。すなわち、次の発射準備のためにはピストンをシアーに係止させる必要があるが、トリガーを引いたままの状態であると、ピストンスプリングを圧縮したピストンがシアーによって係止されない。そのため、ピストンをシアーに係止させるためには、トリガーを引いたままの状態から元の位置に戻す必要があった。
【０００４】
また、トリガーを元に戻さずに発射準備を行うことのできる玩具銃も知られているが、従来技術１の玩具銃に比べ部品数が非常に多く、その組立て作業や修理作業が非常に面倒であるという課題があった。
【０００５】
この発明は、従来技術１と比較しても、部品数を増加させることなく、かつシアーの回転運動を利用して、トリガーを引いた状態においても、次の弾丸発射準備が可能な玩具銃の発射機構を得ることを目的とする。
【０００６】
【課題を解決する為の手段】
この課題を解決する為に、玩具銃の発射機構において、シリンダーと、シリンダーの内部に摺動自在なピストンと、ピストンを銃口側に付勢するピストンスプリングと、ピストンの反銃口側への移動により接触して第１シアーを回動させ第２シアーに係止させる第１突起及びピストンの銃口側への移動を停止させる第２突起及び第２シアーと係止及び係止解除可能な第３突起を有して回動付勢される第１シアーと、第１シアーと係止して第１シアーの回動を停止させディスコネクトの押圧により第１シアーとの係止解除可能な第２シアーと、トリガーと、先端部を上方へ付勢されつつトリガーに回動可能に取り付けられ第２シアーを押圧可能でかつ第１シアーの回動により第２シアーへ押圧を解除されるディスコネクトとを有することを特徴とする玩具銃の発射機構を提案する。
【０００７】
又、機関部本体内に設ける玩具銃の発射機構において、シリンダーと、シリンダーの内部に摺動自在なピストンと、ピストンを銃口側に付勢するピストンスプリングと、ピストンの反銃口側への移動により接触する第１突起及びピストンの銃口側への移動を停止させる第２突起及び第２シアーと係止及び係止解除可能な第３突起を有して回動付勢される第１シアーと、第１シアーの第３突起と係止して第１シアーの回動を停止させディスコネクトの押圧により第１シアーとの係止解除可能な第２シアーと、トリガーと、先端部を上方へ付勢されつつトリガーに回動可能に取り付けられトリガーを引いた状態で第２シアーを押圧可能でかつ第１シアーの回動により第２シアーへの押圧を解除されるディスコネクトとを有するとともに、
トリガーを引いた状態でピストンの反銃口側への移動により第１シアーを回動させ第２シアーに係止させることによりピストンの銃口側への移動を停止させ、トリガーを引いた状態から元の状態に戻しディスコネクトの位置を第２シアーの押圧可能位置に戻すことにより次弾発射準備完了状態とすることを特徴とする玩具銃の発射機構を提案する。
【０００８】
【発明の実施の形態】
この発明の玩具銃の発射機構の１つの実施形態について、機関部本体の右側面側から視た内部説明図である図１乃至図１２、要部拡大説明図である図１３乃至図２４、部材である第２シアーの後面図である図２５、部材であるディスコネクトの平面図である図２６に基づいて説明する。以下この発明の実施の形態の説明文中で、前方及び前進は銃口側及び銃口側への部材の移動（図面右方向）であり、後方及び後退は、反銃口側及び反銃口側への部材の移動（図面左方向）である。また時計回り及び反時計回りという回動方向は、特別な説明が無い場合は、全て機関部本体の右側面側から視た場合における回動方向である。
【０００９】
玩具銃の発射機構は、機関部本体Ａ内に、シリンダー１、シリンダー１の内部において摺動自在なピストン２、ピストン２を銃口Ｂ側に付勢するピストンスプリング３、ピストンスプリング３をガイドしているピストンスプリングガイド４、ピストン２の移動により接触して回動する第１シアー５、第１シアー５を一方向へ回動付勢する第１シアースプリング６、回動する第１シアー５と接触して移動する第２シアー７、第２シアー７を後方（反銃口方向）へ付勢する第２シアースプリング８、トリガー１１、トリガー１１にディスコネクト回動軸９０により回動可能に取り付けられ第２シアー７を押圧可能なディスコネクト９、ディスコネクト９を反時計方向へ回動付勢するディスコネクトスプリング１０、トリガー１１を引いた後、元の状態に戻す方向に付勢するトリガースプリング１２を有する。
【００１０】
シリンダー１、ピストン２、ピストンスプリング３、ピストンスプリングガイド４は、玩具銃の銃口を先端に有する機関部本体Ａ長手方向に向いて設けられる。シリンダー１は、機関部本体Ａ内に摺動自在に設けられ、銃口側Ｂにエア圧縮用の穴１ａを開口しており、ピストンスプリング３の付勢力によるピストン２の移動により発生する圧縮エアにより弾丸を銃口から発射させる。
【００１１】
ピストン２は、筒部後部（反銃口側）の下方に係止突起２０を設けている。係止突起２０は、後面側を筒部下面に対して４５度俯角の後下斜面部２０ａと、前面側を筒部下面に対して直角面（筒部を水平にした状態で垂直面）である前当接部２０ｂとの２面を有する。ピストン２の内部には、ピストン２を銃口方向へ付勢するピストンスプリング３と、ピストンスプリング３を直線長手方向へ支持するピストンスプリングガイド４を設けている。図１に示すようにピストンスプリング４のスプリングが伸びた状態でピストン２は、スプリングの付勢力によりシリンダー１内で前方側に押しつけられる。
【００１２】
第１シアー５は、機関部本体Ａ後部に設けられ、ピストン２の係止突起２０がピストン２の摺動時において第１シアー５の先端部に当接可能及び係止可能な位置に設けられる。第１シアー５は、第１シアースプリング６により時計回りに回動するように付勢されて第１回動軸５０に設けられている。第１回動軸５０は、機関部本体Ａに取り付けられる。
第１シアー５は、上部にＶ字状の凹部を間に有する第１突起５１と第２突起５２、及びこれらの第１突起５１と第２突起５２の突起方向とは時計回りに９０度角ずれた方向に突起する第３突起５３を有する形状である。
第１シアー５の初期設定姿勢は、第１シアースプリング６の回動付勢力により時計回りに付勢され、第１突起５１と第２突起５２が斜め前方に傾斜（ピストン摺動方向に対して約４５度角の傾斜）した状態で停止している。
【００１３】
第２シアー７は、図１の矢視Ｃ図（後方から視た後面図）である図２５に示すように十字形状の下部に第２回動軸７０と後方突起７１を有する形状である。第２シアー７は、十字形状の中央上端面に係止上面７２と十字形状左右に伸びる側方突起部７３を有する。第２シアー７は、下部の第２回動軸７０を中心に第２シアースプリング８により後方側へ回動付勢されるが、下部に設けられる後方突起７１が、機関部本体Ａの水平面部に上方より当接することによりピストン２の摺動方向に対して直角方向の姿勢に初期設定されている。
【００１４】
トリガー１１は、機関部本体Ａに取り付けられるトリガー回動軸１１０を中心に回動自在に設けられ、後方突起部１１１と機関部本体Ａとの間に設けられるトリガースプリング１２により反時計回りに付勢されている。トリガー１１の初期姿勢は、トリガースプリング１２の付勢力で図１の状態である。
【００１５】
ディスコネクト９は、図２６に平面図として示すように中央平面部９１とその左右側部に一体的に形成される側部係止部９２を有する板状体形状であり、トリガー１１のトリガー回動軸１１０より上部の位置であるトリガー１１の一部に設けたディスコネクタ回動軸９０に、ディスコネクトスプリング１０により反時計回りに回動付勢されて設けている。ディスコネクト９の中央平面部９１の左右の幅は、第１シアー５の第３突起５３の幅とほぼ同じで、左右の側部係止部９２よりは薄い。
ディスコネクト９は、トリガー１１を引かない状態では、ディスコネクトスプリング１０により反時計回りに回動付勢された状態でピストン２と略平行な姿勢で静止している。このときディスコネクト９の側部係止部９２の銃口側先端は、第２シアー７の後面に接していない。また、ディスコネクト９の中央平面部９１は、上面で第１シアー５の第３突起５３と当接可能に配設され、当接により反時計回りの付勢に抗して下方に時計回転可能である。
【００１６】
ディスコネクト９の左右の側部係止部９２の先端部は、下面から銃口側に半球面状の外面と、上面から反銃口側に直角状の内角である係止内角部９２０が形成されている。この左右の係止内角部９２０によって、第２シアー７の左右の側方突起部７３に係脱自在である。
【００１７】
次に、この発明の玩具銃の発射機構の１つの実施形態の作用について説明する。
図１及び図１３は、トリガー１１を手元に引かない静止状態の右側面側からみた内部説明図である。
次に、図１の状態からピストン２をピストンスプリング３の付勢力に抗して後方へ移動（後退）させると、ピストン２の係止突起２０の後下斜面部２０ａが、第１シアー５の第１突起５１に当接して押し、時計回りの付勢力に抗して反時計回りに回動させ始める（図２及び図１４）。
【００１８】
第１シアー５が、反時計回りに回動し始めると、第１シアー５の第３突起５３の先端は、第２シアー７の後面に接触して、第２シアースプリング８による後方への付勢力に抗して第２シアー７を第２回動軸７０を中心に前方へ押して回動させ斜め姿勢にする（図３及び図１５）。
更に、図４及び図１６は、ピストン２を反銃口側最後部まで移動させると、第１シアー５の第３突起５３の先端が、第２シアー７の係止上面７２より上方へ回動し、第２シアー７への前方への圧力が無くなる。これにより第２シアー７は、第２シアースプリング８による後方への付勢力と、後方突起７１の機関部本体Ａへの係止により、ピストン２の長手方向に対して直角方向の姿勢で停止する。
【００１９】
ピストン２をこの状態で、後方への手作業等による移動動作を止めると、ピストン２はピストンスプリング３の前方への付勢力により、銃口側へ移動（前進）しようとし、また第１シアー５も第１シアースプリング６の回動付勢力により時計方向へ回動しようとする。しかし図５及び図１７に示すように、ピストン２の係止突起２０の前当接部２０ｂが、第１シアー５の第２突起５２に係止するとともに第１シアー５の第３突起５３が第２シアー７の係止上面７２に係止するため、第１シアー５は、これ以上回動できずに停止し、第１シアー５の第２突起５２に前当接部２０ｂで係止するピストン２も、ピストンスプリング３の付勢力で前方へ付勢されつつこの状態で停止する。
【００２０】
次に、図６及び図１８に示すようにトリガー１１を矢印Ｄの方向に引くと、トリガー１１のトリガー回動軸１１０より上部に取り付けられるディスコネクト９が、トリガー回動軸１１０を支点として前方へ移動しディスコネクト９の左右側部係止部９２の先端が、第２シアー７の左右の側方突起部７３の後面を前方へ押す。このときディスコネクト９は、ディスコネクトスプリング１０の反時計回りの回動付勢力により上方へ付勢されている。
【００２１】
第２シアー７が、第２シアースプリング８による後方への付勢力に抗して前方へ押されて傾斜すると、第１シアー５の第３突起５３と、第２シアー７の係止上面７２の係止が外され、第１シアー５が第１シアースプリング６の時計回りの付勢力により勢いよく回動する。
第１シアー５の回動により、ピストン２の係止突起２０の前当接部２０ｂと第１シアー５の第２突起５２との係止も外れるため、ピストン２は、ピストンスプリング３の付勢力により急激に前方へ移動し、圧縮エアにより弾丸を銃口より発射させる。
更に、第１シアー５の回動により第３突起５３の下面が、ディスコネクト９の中央平面部９１の上面を押し、下方へ回動させることにより、ディスコネクト９の側部係止部９２の先端が第２シアー７の側方突起部７３との当接を外され、第２シアー７は、第２シアースプリング８の後方への付勢力で、元のピストン２と直角方向の設定姿勢に戻る（図７、図８、図１９及び図２０）。
【００２２】
次に、図９、図１０、図２１及び図２２に示すようにトリガー１１を引いたままの状態で、次弾発射のため再びピストン２を後方へ移動させる。
再びピストン２を、ピストンスプリング３の付勢力に抗して後方へ移動（後退）させると、ピストン２の係止突起２０の後下斜面部２０ａが、第１シアー５の第１突起５１に当接して押し、時計回りの付勢力に抗して反時計回りに回動させ始める（図９及び図２１）。
【００２３】
更に、ピストン２を反銃口側最後部まで移動させて移動動作を止めると、ピストン２はピストンスプリング３の前方への付勢力により、銃口側へ移動（前進）しようとし、また第１シアー５も第１シアースプリング６の回動付勢力により時計方向へ回動しようとする（図１０及び図２２）。しかし図１１及び図２３に示すように、ピストン２の係止突起２０の前当接部２０ｂが、第１シアー５の第２突起５２に係止するとともに第１シアー５の第３突起５３が第２シアー７の係止上面７２に係止するため、第１シアー５は、これ以上回動できずに停止状態となる。そして第１シアー５の第２突起５２に前当接部２０ｂで係止するピストン２も、ピストンスプリング３の付勢力で前方へ付勢されつつこの状態で停止する。このときディスコネクト９の側部係止部９２の係止内角部９２０が、第２シアー７の側方突起部７３に下方から接触して係止された状態になっている。
【００２４】
そして、図１２及び図２４に示すように、トリガー１１を引いたままの状態から、手の握りを離し、トリガースプリング１２の付勢力で反時計回りに回動させトリガー１１を矢印Ｅ方向に移動させ元の位置に戻す。この動作によりトリガー１１の上部にディスコネクト回動軸９０によって取り付けられているディスコネクト９は後方へ移動する。ディスコネクト９の後方への移動により、側部係止部９２の係止内角部９２０と第２シアー７の側方突起部７３との係止が解除され、ディスコネクト９は、ディスコネクトスプリング１０の反時計回りの回動付勢により上方（Ｆ方向）へ回動し、側部係止部９２の先端が、次のトリガー１１を引く動作により、第２シアー７の側方突起７３を後方から押圧可能な設定位置に戻る。この状態が、次弾発射の準備完了状態である。
【００２５】
この状態からは、トリガー１１を引くことにより次弾が発射され、再び図６及び図１８に示す状態から作動を繰り返すことにより、トリガー１１を引いた状態で次弾発射準備させることができる。
【００２６】
【発明の効果】
したがって、この発明によれば、従来と比較して非常に少ない部品数で、かつシアーの回転運動を利用して、トリガーを引いた状態においても、次の弾丸発射の準備が可能となった。
そのため、連続した速射が可能となった。
【図面の簡単な説明】
【図１】  この発明の１つの実施形態である玩具銃の発射機構を、機関部本体の右側面側からみた内部作動説明図
【図２】  同じく玩具銃の発射機構を機関部本体の右側面側からみた内部作動説明図
【図３】  同じく玩具銃の発射機構を機関部本体の右側面側からみた内部作動説明図
【図４】  同じく玩具銃の発射機構を機関部本体の右側面側からみた内部作動説明図
【図５】  同じく玩具銃の発射機構を機関部本体の右側面側からみた内部作動説明図
【図６】  同じく玩具銃の発射機構を機関部本体の右側面側からみた内部作動説明図
【図７】  同じく玩具銃の発射機構を機関部本体の右側面側からみた内部作動説明図
【図８】  同じく玩具銃の発射機構を機関部本体の右側面側からみた内部作動説明図
【図９】  同じく玩具銃の発射機構を機関部本体の右側面側からみた内部作動説明図
【図１０】  同じく玩具銃の発射機構を機関部本体の右側面側からみた内部作動説明図
【図１１】  同じく玩具銃の発射機構を機関部本体の右側面側からみた内部作動説明図
【図１２】  同じく玩具銃の発射機構を機関部本体の右側面側からみた内部作動説明図
【図１３】  この発明の１つの実施形態である玩具銃の発射機構を、機関部本体の右側面側からみた要部拡大作動説明図
【図１４】  同じく玩具銃の発射機構を機関部本体の右側面側からみた要部拡大作動説明図
【図１５】  同じく玩具銃の発射機構を機関部本体の右側面側からみた要部拡大作動説明図
【図１６】  同じく玩具銃の発射機構を機関部本体の右側面側からみた要部拡大作動説明図
【図１７】  同じく玩具銃の発射機構を機関部本体の右側面側からみた要部拡大作動説明図
【図１８】  同じく玩具銃の発射機構を機関部本体の右側面側からみた要部拡大作動説明図
【図１９】  同じく玩具銃の発射機構を機関部本体の右側面側からみた要部拡大作動説明図
【図２０】  同じく玩具銃の発射機構を機関部本体の右側面側からみた要部拡大作動説明図
【図２１】  同じく玩具銃の発射機構を機関部本体の右側面側からみた要部拡大作動説明図
【図２２】  同じく玩具銃の発射機構を機関部本体の右側面側からみた要部拡大作動説明図
【図２３】  同じく玩具銃の発射機構を機関部本体の右側面側からみた要部拡大作動説明図
【図２４】  同じく玩具銃の発射機構を機関部本体の右側面側からみた要部拡大作動説明図
【図２５】  この発明の実施形態である玩具銃の発射機構の部材である第２シアーの後面図
【図２６】  この発明の実施形態である玩具銃の発射機構の部材であるディスコネクトの平面図
【符号の説明】
１  シリンダー
１ａ  穴
２  ピストン
２０  係止突起
２０ａ  後部下傾斜面
２０ｂ  前方直角面
３  ピストンスプリング
４  ピストンスプリングガイド
５  第１シアー
５０  第１回動軸
５１  第１突起
５２  第２突起
５３  第３突起
６  第１シアースプリング
７  第２シアー
７０  第２回動軸
７１  後方突起
７２  係止上面
７３  側方突起部
８  第２シアースプリング
９  ディスコネクト
９０  ディスコネクト回動軸
９１  中央平面部
９２  側部係止部
９２０  係止内角部
１０  ディスコネクトスプリング
１１  トリガー
１１０  トリガー回動軸
１１１  トリガー後方突起
１２  トリガースプリング
Ａ  機関部本体
Ｂ  銃口側
Ｃ  第２シアー矢視方向
Ｄ  トリガーを引く方向
Ｅ  トリガーを戻す方向
Ｆ  ディスコネクトが上方に回動する方向
【図１】
0003708518.tif 000002
【図２】
0003708518.tif 000003
【図３】
0003708518.tif 000004
【図４】
0003708518.tif 000005
【図５】
0003708518.tif 000006
【図６】
0003708518.tif 000007
【図７】
0003708518.tif 000008
【図８】
0003708518.tif 000009
【図９】
0003708518.tif 000010
【図１０】
0003708518.tif 000011
【図１１】
0003708518.tif 000012
【図１２】
0003708518.tif 000013
【図１３】
0003708518.tif 000014
【図１４】
0003708518.tif 000015
【図１５】
0003708518.tif 000016
【図１６】
0003708518.tif 000017
【図１７】
0003708518.tif 000018
【図１８】
0003708518.tif 000019
【図１９】
0003708518.tif 000020
【図２０】
0003708518.tif 000021
【図２１】
0003708518.tif 000022
【図２２】
0003708518.tif 000023
【図２３】
0003708518.tif 000024
【図２４】
0003708518.tif 000025
【図２５】
0003708518.tif 000026
【図２６】
0003708518.tif 000027